(57)【要約】【課題】レインパンツによって足先を含む下肢全体を水や汚れから保護する。【解決手段】レインパンツは、防水性を有するシート材を用いて形成され、装着者の腰および下肢を被覆可能に構成されている。レインパンツは、腰部と、一対の下肢部とを備える。腰部は、開口端を有し、装着者の腰を被覆可能に構成されている。一対の下肢部は、腰部からそれぞれ延びるとともに腰部と一体的な袋状を成し、装着者の下肢における大腿から足先までの全体を被覆可能に構成されている。【選択図】図１
2018141245.tif 000002
【特許請求の範囲】
【請求項１】
防水性を有するシート材を用いて形成され、装着者の腰および下肢を被覆可能に構成されたレインパンツであって、
開口端を有し、前記装着者の前記腰を被覆可能に構成された腰部と、
前記腰部からそれぞれ延びるとともに前記腰部と一体的な袋状を成し、前記装着者の前記下肢における大腿から足先までの全体を被覆可能に構成された一対の下肢部と
を備えるレインパンツ。
【請求項２】
前記下肢部は、前記腰部から先端にわたって直線状に延びた袋状を成す、請求項１に記載のレインパンツ。
【請求項３】
前記下肢部は、前記腰部から先端にわたって開口を有しない袋状を成す、請求項１または請求項２に記載のレインパンツ。
【請求項４】
更に、前記下肢部における前記装着者の足底を被覆する足底部の外表面に形成され、前記足底部を補強する補強材を備える、請求項１から請求項３までのいずれか一項に記載のレインパンツ。
【請求項５】
前記下肢部における前記装着者の足底および足先の少なくとも一方を被覆する部位の内側に吸水材が設けられた、請求項１から請求項４までのいずれか一項に記載のレインパンツ。
【請求項６】
前記腰部の前記開口端は、伸縮可能に構成されている、請求項１から請求項５までのいずれか一項に記載のレインパンツ。
【請求項７】
前記腰部および前記一対の下肢部は、前記レインパンツの前身頃を構成する第１のシートと、前記レインパンツの後身頃を構成する第２のシートとを接合して形成されている、請求項１から請求項６までのいずれか一項に記載のレインパンツ。
【請求項８】
前記第２のシートは、前記下肢部における前記装着者の足底を被覆する足底部を構成する、請求項７に記載のレインパンツ。
【発明の詳細な説明】
【技術分野】
【０００１】
本明細書は、レインパンツを開示する。
【背景技術】
【０００２】
レインパンツは、雨具の一種であり、装着者の腰および下肢を被服可能に構成されている。一般的に、レインパンツは、防水性を有する素材を用いて形成されている。特許文献１には、裾付近を絞ることが可能に構成されたレインパンツについて開示されている。特許文献１のレインパンツによれば、レインパンツの裾から内部への雨風の進入を防ぐことができるとともに、靴の開口部からの雨の進入を防ぐことができるとされている。
【先行技術文献】
【特許文献】
【０００３】
【特許文献１】特開２００６−２１４０１１号公報
【発明の概要】
【発明が解決しようとする課題】
【０００４】
レインパンツにおいては、足先を含む下肢全体を水や汚れから保護することについて、十分な検討がなされていなかった。特に、皮革製の靴は十分な防水性を有していない場合が多く、靴の開口部だけでなく甲部および底部を水や汚れから保護する必要性がある。
【課題を解決するための手段】
【０００５】
（１）本明細書に開示する一形態におけるレインパンツは、防水性を有するシート材を用いて形成され、装着者の腰および下肢を被覆可能に構成されている。このレインパンツは、開口端を有し、前記装着者の前記腰を被覆可能に構成された腰部と；前記腰部からそれぞれ延びるとともに前記腰部と一体的な袋状を成し、前記装着者の前記下肢における大腿から足先までの全体を被覆可能に構成された一対の下肢部とを備える。このレインパンツによれば、比較的に簡易な構成によって、足先を含む下肢全体を水や汚れから保護できる。
【０００６】
（２）上述のレインパンツにおいて、前記下肢部は、前記腰部から先端にわたって直線状に延びた袋状を成してもよい。このレインパンツによれば、下肢部の先端側の幅を十分に確保できるため、レインパンツの着脱の容易化を図ることができる。また、踵の位置が限定されないため、装着者の足裏の大きさに幅広く対応できる。また、下肢部が比較的に簡易的な形状であるため、レインパンツの生産性を向上させることができる。
【０００７】
（３）上述のレインパンツにおいて、前記下肢部は、前記腰部から先端にわたって開口を有しない袋状を成してもよい。このレインパンツによれば、足先を含む下肢全体を水や汚れからいっそう保護できる。
【０００８】
（４）上述のレインパンツは、更に、前記下肢部における前記装着者の足底を被覆する足底部の外表面に形成され、前記足底部を補強する補強材を備えてもよい。このレインパンツによれば、歩行に伴う足底部の損傷を抑制することができる。その結果、レインパンツの耐久性を向上させることができる。なお、前記補強材の材質は、ゴム、樹脂、セラミックの少なくとも１つであってもよい。このレインパンツによれば、補強材を容易に実現できる。また、補強材を滑り止めとしても機能させることができる。
【０００９】
（５）上述のレインパンツにおいて、前記下肢部における前記装着者の足底および足先の少なくとも一方を被覆する部位の内側に吸水材が設けられていてもよい。このレインパンツによれば、レインパンツの内部に水が浸入した場合であっても、レインパンツ内部の水を吸水材が吸収するため、足先および足裏を水や汚れから保護できる。前記吸水材は、高吸水性高分子、吸水紙および多孔質体の少なくとも１つであってもよい。
【００１０】
（６）上述のレインパンツにおいて、前記腰部の前記開口端は、伸縮可能に構成されていてもよい。このレインパンツによれば、装着時における腰部のずれ落ちを防止できる。
【００１１】
（７）上述のレインパンツにおいて、前記腰部および前記一対の下肢部は、前記レインパンツの前身頃を構成する第１のシートと、前記レインパンツの後身頃を構成する第２のシートとを接合して形成されていてもよい。このレインパンツによれば、腰部および一対の下肢部を比較的に簡易に形成できるため、レインパンツの生産性を向上させることができる。
【００１２】
（８）上述のレインパンツにおいて、前記第２のシートは、前記下肢部における前記装着者の足底を被覆する足底部を構成してもよい。このレインパンツによれば、下肢部の足底部を比較的に簡易に形成できるため、レインパンツの生産性を向上させることができる。
【００１３】
本明細書に記載する技術は、レインパンツのほか、種々の形態で実現できる。本明細書に記載する技術は、例えば、上述のレインパンツを含む雨具、ならびに、上述のレインパンツを製造する方法などの形態で実現できる。
【図面の簡単な説明】
【００１４】
【図１】装着した状態にあるレインパンツを示す説明図である。
【図２】レインパンツを示す正面図である。
【図３】レインパンツを示す背面図である。
【図４】第２実施形態におけるレインパンツを示す背面図である。
【図５】第３実施形態におけるレインパンツを示す背面図である。
【発明を実施するための形態】
【００１５】
Ａ．第１実施形態
図１は、装着した状態にあるレインパンツ１００を示す説明図である。図２は、レインパンツ１００を示す正面図である。図３は、レインパンツ１００を示す背面図である。
【００１６】
レインパンツ１００は、雨具の一種であり、装着者の腰ＷＳおよび下肢ＬＧを被覆可能に構成されている。本実施形態では、レインパンツ１００は、装着者が衣服および靴を身に着けた状態で装着可能に構成されている。
【００１７】
レインパンツ１００は、防水性を有するシート材を用いて形成されている。本実施形態では、レインパンツ１００を形成するシート材の材質は、ポリエチレンである。レインパンツ１００を形成するシート材の材質は、防水性を有する材質であればよく、ポリプロピレン、ナイロン、ポリエステル、ポリウレタン、塩化ビニル、ポリアセテートであってもよい。
【００１８】
レインパンツ１００は、腰部１１０と、一対の下肢部１２０Ｒ，１２０Ｌとを備える。レインパンツ１００の腰部１１０は、装着者の腰ＷＳを被覆可能に構成されている。腰部１１０は、開口端１１２を有する。本実施形態では、腰部１１０の開口端１１２は、伸縮可能に構成されている。本実施形態では、開口端１１２は、伸縮性を有する環状ゴムを開口端１１２に沿って内包させることによって伸縮可能に構成されている。
【００１９】
一対の下肢部１２０Ｒ，１２０Ｌは、腰部１１０からそれぞれ延びるとともに腰部１１０と一体的な袋状を成す。下肢部１２０Ｒは、装着者の右側の下肢ＬＧにおける大腿ＴＨから足先ＴＥまでの全体を被覆可能に構成されている。下肢部１２０Ｌは、装着者の左側の下肢ＬＧにおける大腿ＴＨから足先ＴＥまでの全体を被覆可能に構成されている。下肢部１２０Ｒと下肢部１２０Ｌとの間には、下肢部１２０Ｒと下肢部１２０Ｌとが腰部１１０から分かれる起点となる股部１３０が形成されている。
【００２０】
図２および図３に示すように、下肢部１２０Ｒは、腰部１１０から先端１２８Ｒにわたって直線状に延びた袋状を成し、下肢部１２０Ｌは、腰部１１０から先端１２８Ｌにわたって直線状に延びた袋状を成す。下肢部１２０Ｒ，１２０Ｌの幅は、靴を履いた状態の装着者が足先ＴＥを先端１２８Ｒ，１２８Ｌまで挿入するために十分な大きさである。本実施形態では、下肢部１２０Ｒにおける各部の幅は、先端１２８Ｒを除き、ほぼ同様であり、下肢部１２０Ｌにおける各部の幅も、先端１２８Ｌを除き、ほぼ同様である。本実施形態では、下肢部１２０Ｒの先端１２８Ｒは、外側に凸の円弧状に先細りとなっており、下肢部１２０Ｌの先端１２８Ｌも、外側に凸の円弧状に先細りとなっている。
【００２１】
下肢部１２０Ｒは、腰部１１０から先端１２８Ｒにわたって開口を有しない袋状を成し、下肢部１２０Ｌは、腰部１１０から先端１２８Ｌにわたって開口を有しない袋状を成す。下肢部１２０Ｒ，１２０Ｌの内側は、腰部１１０の開口端１１２を除き、外側から密閉された状態となる。
【００２２】
図２および図３に示すように、腰部１１０および一対の下肢部１２０Ｒ，１２０Ｌは、シート１０１とシート１０２とを接合して形成される。シート１０１は、レインパンツ１００の前見頃を構成する第１のシートである。シート１０２は、レインパンツ１００の後見頃を構成する第２のシートである。シート１０１およびシート１０２は、腰部１１０の開口端１１２を除く外縁部１０４にわたって相互に接合されている。シート１０２は、下肢部１２０Ｒにおける装着者の足底を被覆する足底部１２６Ｒを構成するとともに、下肢部１２０Ｌにおける装着者の足底を被覆する足底部１２６Ｌを構成する。
【００２３】
以上説明した第１実施形態のレインパンツ１００によれば、比較的に簡易な構成によって、足先ＴＥを含む下肢ＬＧ全体を水や汚れから保護できる。
【００２４】
また、下肢部１２０Ｒ，１２０Ｌは、腰部１１０から先端１２８Ｒ，１２８Ｌにわたって直線状に延びた袋状を成す。これによって、下肢部１２０Ｒ，１２０Ｌの先端１２８Ｒ，１２８Ｌ側の幅を十分に確保できるため、レインパンツ１００の着脱の容易化を図ることができる。また、踵の位置が限定されないため、装着者の足裏の大きさに幅広く対応できる。また、下肢部１２０Ｒ，１２０Ｌが比較的に簡易的な形状であるため、レインパンツの生産性を向上させることができる。
【００２５】
また、下肢部１２０Ｒ，１２０Ｌは、腰部１１０から先端１２８Ｒ，１２８Ｌにわたって開口を有しない袋状を成す。これによって、足先ＴＥを含む下肢ＬＧ全体を水や汚れからいっそう保護できる。
【００２６】
また、腰部１１０の開口端１１２は、伸縮可能に構成されているため、装着時における腰部１１０のずれ落ちを防止できる。
【００２７】
また、腰部１１０および一対の下肢部１２０Ｒ，１２０Ｌは、レインパンツ１００の前身頃を構成するシート１０１と、レインパンツ１００の後身頃を構成するシート１０２とを接合して形成されている。これによって、腰部１１０および一対の下肢部１２０Ｒ，１２０Ｌを比較的に簡易に形成できるため、レインパンツ１００の生産性を向上させることができる。
【００２８】
また、シート１０２は、下肢部１２０Ｒ，１２０Ｌにおける装着者の足底を被覆する足底部１２６Ｒ，１２６Ｌを構成する。これによって、下肢部１２０Ｒ，１２０Ｌの足底部１２６Ｒ，１２６Ｌを比較的に簡易に形成できるため、レインパンツ１００の生産性を向上させることができる。
【００２９】
Ｂ．第２実施形態
図４は、第２実施形態におけるレインパンツ１００Ｂを示す背面図である。レインパンツ１００Ｂは、補強材１４０Ｂが形成されている点を除き、第１実施形態のレインパンツ１００と同様である。
【００３０】
補強材１４０Ｂは、足底部１２６Ｒ，１２６Ｌを補強する。補強材１４０Ｂは、足底部１２６Ｒ，１２６Ｌの外表面に形成されている。本実施形態では、補強材１４０Ｂは、足底部１２６Ｒ，１２６Ｌの外表面を覆う皮膜（コーティング）である。
【００３１】
補強材１４０Ｂの材質は、足底部１２６Ｒ，１２６Ｌの外表面を補強可能な材質であればよく、ゴム、樹脂、セラミックの少なくとも１つであってもよい。本実施形態では、補強材１４０Ｂの材質はゴムである。
【００３２】
以上説明した第２実施形態のレインパンツ１００Ｂによれば、第１実施形態と同様に、比較的に簡易な構成によって、足先ＴＥを含む下肢ＬＧ全体を水や汚れから保護できる。
【００３３】
また、足底部１２６Ｒ，１２６Ｌの外表面に補強材１４０Ｂが形成されているため、歩行に伴う足底部１２６Ｒ，１２６Ｌの損傷を抑制することができる。その結果、レインパンツ１００Ｂの耐久性を向上させることができる。
【００３４】
また、補強材１４０Ｂの材質は、ゴムであるため、補強材１４０Ｂを容易に実現できる。また、補強材１４０Ｂを滑り止めとしても機能させることができる。
【００３５】
Ｃ．第３実施形態
図５は、第３実施形態におけるレインパンツ１００Ｂを示す背面図である。レインパンツ１００Ｃは、補強材１４０Ｃが形成されている点を除き、第１実施形態のレインパンツ１００と同様である。
【００３６】
補強材１４０Ｃは、足底部１２６Ｒ，１２６Ｌを補強する。補強材１４０Ｃは、足底部１２６Ｒ，１２６Ｌの外表面に形成されている。本実施形態では、補強材１４０Ｃは、足底部１２６Ｒ，１２６Ｌの外表面に点状に分散して設けられた複数の凸部である。
【００３７】
補強材１４０Ｃの材質は、足底部１２６Ｒ，１２６Ｌの外表面を補強可能な材質であればよく、ゴム、樹脂、セラミックの少なくとも１つであってもよい。本実施形態では、補強材１４０Ｃの材質はゴムである。
【００３８】
以上説明した第３実施形態のレインパンツ１００Ｃによれば、第１実施形態と同様に、比較的に簡易な構成によって、足先ＴＥを含む下肢ＬＧ全体を水や汚れから保護できる。
【００３９】
また、足底部１２６Ｒ，１２６Ｌの外表面に補強材１４０Ｃが形成されているため、歩行に伴う足底部１２６Ｒ，１２６Ｌの損傷を抑制することができる。その結果、レインパンツ１００Ｃの耐久性を向上させることができる。
【００４０】
また、補強材１４０Ｃの材質は、ゴムであるため、補強材１４０Ｃを容易に実現できる。また、補強材１４０Ｃを滑り止めとしても機能させることができる。
【００４１】
Ｄ．他の実施形態
本発明は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【００４２】
上述の実施形態では、レインパンツは、２枚のシート１０１，１０２を接合することによって形成されているが、他の実施形態では、折り畳んだ１枚のシートを接合することによって形成されてもよいし、レインパンツの型を液状の材料に浸漬させる浸漬法（ディッピング法）によって形成されてもよい。
【００４３】
下肢部１２０Ｒ，１２０Ｌの幅は、靴を履いた状態の装着者が足先ＴＥを先端１２８Ｒ，１２８Ｌまで挿入するために十分な大きさであればよく、先広がり状であってもよいし、先細り状であってもよい。下肢部１２０Ｒ，１２０Ｌの幅は、腰部１１０から先端１２８Ｌに向かう途中で変化してもよい。
【００４４】
第２実施形態の補強材１４０Ｂは、シート１０２の足底部１２６Ｒ，１２６Ｌから外縁部１０４を越えてシート１０１にわたって形成されていてもよい。これによって、シート１０１とシート１０２とを接合する外縁部１０４を補強材１４０Ｂによって補強できる。
【００４５】
足底部１２６Ｒ，１２６Ｌおよび先端１２８Ｒ，１２８Ｌの少なくとも一方の内側に吸水材を設けてもよい。これによって、レインパンツの内部に水が浸入した場合であっても、レインパンツ内部の水を吸水材が吸収するため、足先および足裏を水や汚れから保護できる。吸水材は、高吸水性高分子（例えば、ポリアクリル酸ナトリウム）、吸水紙および多孔質体（スポンジ）の少なくとも１つであってもよい。
【符号の説明】
【００４６】
１００，１００Ｂ，１００Ｃ…レインパンツ
１０１，１０２…シート
１０４…外縁部
１１０…腰部
１１２…開口端
１２０Ｌ，１２０Ｒ…下肢部
１２６Ｌ，１２６Ｒ…足底部
１２８Ｌ，１２８Ｒ…先端
１３０…股部
１４０Ｂ，１４０Ｃ…補強材
ＬＧ…下肢
ＴＥ…足先
ＴＨ…大腿
ＷＳ…腰
【図１】
2018141245.tif 000003
【図２】
2018141245.tif 000004
【図３】
2018141245.tif 000005
【図４】
2018141245.tif 000006
【図５】
2018141245.tif 000007
【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
防水性を有するシート材を用いて形成され、被服および靴を身に着けた装着者の腰および下肢を被覆可能に構成されたレインパンツであって、
開口端を有し、前記装着者の前記腰を被覆可能に構成された腰部と、
前記腰部からそれぞれ延びるとともに前記腰部と一体的な袋状を成し、前記装着者の前記下肢における大腿から足先までの全体を被覆可能に構成された一対の下肢部と
を備え、
前記下肢部は、前記装着者の足底を被覆する足底部を有するとともに、前記腰部から前記足底部にわたって同様の幅で直線状に延びた袋状を成す、レインパンツ。
【請求項２】
前記下肢部は、前記腰部から先端にわたって開口を有しない袋状を成す、請求項１に記載のレインパンツ。
【請求項３】
更に、前記下肢部における前記装着者の足底を被覆する足底部の外表面に形成され、前記足底部を補強する補強材を備える、請求項１または請求項２に記載のレインパンツ。
【請求項４】
前記下肢部における前記装着者の足底および足先の少なくとも一方を被覆する部位の内側に吸水材が設けられた、請求項１から請求項３までのいずれか一項に記載のレインパンツ。
【請求項５】
前記腰部の前記開口端は、伸縮可能に構成されている、請求項１から請求項４までのいずれか一項に記載のレインパンツ。
【請求項６】
前記腰部および前記一対の下肢部は、前記レインパンツの前身頃を構成する第１のシートと、前記レインパンツの後身頃を構成する第２のシートとを接合して形成されている、請求項１から請求項５までのいずれか一項に記載のレインパンツ。
【請求項７】
前記第２のシートは、前記下肢部における前記装着者の足底を被覆する足底部を構成する、請求項６に記載のレインパンツ。
【手続補正２】
【補正対象書類名】明細書
【補正対象項目名】００１３
【補正方法】変更
【補正の内容】
【００１３】
本明細書に記載する技術は、レインパンツのほか、種々の形態で実現できる。本明細書に記載する技術は、例えば、上述のレインパンツを含む雨具、ならびに、上述のレインパンツを製造する方法などの形態で実現できる。
本明細書に開示する一形態におけるレインパンツは、防水性を有するシート材を用いて形成され、被服および靴を身に着けた装着者の腰および下肢を被覆可能に構成されている。このレインパンツは、開口端を有し、前記装着者の前記腰を被覆可能に構成された腰部と；前記腰部からそれぞれ延びるとともに前記腰部と一体的な袋状を成し、前記装着者の前記下肢における大腿から足先までの全体を被覆可能に構成された一対の下肢部とを備える。前記下肢部は、前記装着者の足底を被覆する足底部を有するとともに、前記腰部から前記足底部にわたって同様の幅で直線状に延びた袋状を成す。このレインパンツによれば、比較的に簡易な構成によって、足先を含む下肢全体を水や汚れから保護できる。また、下肢部の先端側の幅を十分に確保できるため、レインパンツの着脱の容易化を図ることができる。また、踵の位置が限定されないため、装着者の足裏の大きさに幅広く対応できる。また、下肢部が比較的に簡易的な形状であるため、レインパンツの生産性を向上させることができる。
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
防水性を有するシート材を用いて形成され、被服および靴を身に着けた装着者の腰および下肢を被覆可能に構成されたレインパンツであって、
開口端を有し、前記装着者の前記腰を被覆可能に構成された腰部と、
前記腰部からそれぞれ延びるとともに前記腰部と一体的な袋状を成し、前記装着者の前記下肢における大腿から足先までの全体を被覆可能に構成された一対の下肢部と
を備え、
前記下肢部は、前記装着者の足底を被覆する足底部を有するとともに、前記腰部から前記足底部にわたる範囲のうち前記下肢部の先端を除いた範囲において同様の幅で直線状に延びた袋状を成し、
更に、前記足底部の外表面に点状に分散して設けられた複数の凸部として形成され、前記足底部を補強する補強材を備える、レインパンツ。
【請求項２】
前記下肢部は、前記腰部から先端にわたって開口を有しない袋状を成す、請求項１に記載のレインパンツ。
【請求項３】
前記下肢部における前記装着者の足底および足先の少なくとも一方を被覆する部位の内側に吸水材が設けられた、請求項１または請求項２に記載のレインパンツ。
【請求項４】
前記腰部の前記開口端は、伸縮可能に構成されている、請求項１から請求項３までのいずれか一項に記載のレインパンツ。
【請求項５】
前記腰部および前記一対の下肢部は、前記レインパンツの前身頃を構成する第１のシートと、前記レインパンツの後身頃を構成する第２のシートとを接合して形成されている、請求項１から請求項４までのいずれか一項に記載のレインパンツ。
【請求項６】
前記第２のシートは、前記下肢部における前記装着者の足底を被覆する足底部を構成する、請求項５に記載のレインパンツ。
【手続補正２】
【補正対象書類名】明細書
【補正対象項目名】００１３
【補正方法】変更
【補正の内容】
【００１３】
本明細書に記載する技術は、レインパンツのほか、種々の形態で実現できる。本明細書に記載する技術は、例えば、上述のレインパンツを含む雨具、ならびに、上述のレインパンツを製造する方法などの形態で実現できる。
本明細書に開示する一形態におけるレインパンツは、防水性を有するシート材を用いて形成され、被服および靴を身に着けた装着者の腰および下肢を被覆可能に構成されている。このレインパンツは、開口端を有し、前記装着者の前記腰を被覆可能に構成された腰部と；前記腰部からそれぞれ延びるとともに前記腰部と一体的な袋状を成し、前記装着者の前記下肢における大腿から足先までの全体を被覆可能に構成された一対の下肢部とを備える。前記下肢部は、前記装着者の足底を被覆する足底部を有するとともに、前記腰部から前記足底部にわたる範囲のうち前記下肢部の先端を除いた範囲において同様の幅で直線状に延びた袋状を成し、更に、前記足底部の外表面に点状に分散して設けられた複数の凸部として形成され、前記足底部を補強する補強材を備える。このレインパンツによれば、比較的に簡易な構成によって、足先を含む下肢全体を水や汚れから保護できる。また、下肢部の先端側の幅を十分に確保できるため、レインパンツの着脱の容易化を図ることができる。また、踵の位置が限定されないため、装着者の足裏の大きさに幅広く対応できる。また、下肢部が比較的に簡易的な形状であるため、レインパンツの生産性を向上させることができる。